【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
太陽光発電モジュールを保守するためのシステムであって：
第1及び第2の支持面並びに該第1の支持面と該第2の支持面との間に配設された第1の取り付け面を備える第1の細長いレールであって、該太陽光発電モジュールの第1のアレイが、該第1の取り付け面に結合されて該第1及び第2の支持面に対して持ち上げられる、該第1の細長いレール、
ここで、該第1及び第2の輸送手段支持面と該少なくとも1つの取り付け面が各々、地面に配設されるコンクリートを含み；並びに
該第1及び第2の支持面の該コンクリートに配設された第1の保守輸送手段であって、第1の清掃ヘッド、第1のアクチュエータ、第1のモータ、並びに第1及び第2の支持脚を備える、該第1の保守輸送手段、を含み、
該第1及び第2の支持脚が、該第1のアレイの太陽光発電モジュールの上に該第1の清掃ヘッドを懸架し、かつ該第1のモータの作動に応答して、該第1の清掃ヘッドを該第1の細長いレールに平行な方向において横方向に連続的に移動させて該第1のアレイの太陽光発電モジュールのそれぞれを横断させるように該第1及び第2の支持面の該コンクリートに移動可能に連結され、
該第1の清掃ヘッドの少なくとも一部が、該第1のアクチュエータの作動に応答して、該第1のアレイの太陽光発電モジュールから離隔した係合解除位置と該第1のアレイの太陽光発電モジュールの少なくとも1つに接触する第1の係合位置との間で垂直方向に移動可能である、前記システム。
【請求項２】
前記第1の清掃ヘッドが第2のモータを備え、該第1の清掃ヘッドの少なくとも一部が、前記第1のアクチュエータの作動に応答して、前記第1の係合位置にある前記第1のアレイの太陽光発電モジュールの少なくとも1つに接触するように移動可能なブラシを備え、
該ブラシが、該第2のモータの作動に応答して、該第1のアレイの太陽光発電モジュールに平行な軸に沿ってさらに回転可能である、請求項1記載のシステム。
【請求項３】
前記第1の清掃ヘッドが：
流体タンク；及び
第2のアクチュエータをさらに備え、
該第1の清掃ヘッドが、該第2のアクチュエータの作動に応答して、流体を該流体タンクから該第1のアレイの太陽光発電モジュールの少なくとも1つにディスペンスするように動作可能である、請求項2記載のシステム。
【請求項４】
前記第1の清掃ヘッドがワイパーをさらに備え、該ワイパーが、該第1の清掃ヘッドの少なくとも一部が前記第1の係合位置にあるときに前記第1のアレイの少なくとも1つの太陽光発電モジュールに接触し、かつ該第1のアレイの少なくとも1つの太陽光発電モジュールを少なくとも部分的に乾燥させるように動作可能である、請求項3記載のシステム。
【請求項５】
太陽光発電モジュールを保守するためのシステムであって：
第1及び第2の支持面並びに該第1の支持面と該第2の支持面との間に配設された第1の取り付け面を備える第1の細長いレールであって、該太陽光発電モジュールの第1のアレイが、該第1の取り付け面に結合されて該第1及び第2の支持面に対して持ち上げられる、該第1の細長いレール；並びに
該第1及び第2の支持面に配設された第1の保守輸送手段であって、第1の清掃ヘッド、第1のアクチュエータ、第1のモータ、並びに第1及び第2の支持脚を備える、該第1の保守輸送手段、を含み、
該第1及び第2の支持脚が、該第1のアレイの太陽光発電モジュールの上に該第1の清掃ヘッドを懸架し、かつ該第1のモータの作動に応答して、該第1の清掃ヘッドを該第1の細長いレールに平行な方向において横方向に連続的に移動させて該第1のアレイの太陽光発電モジュールのそれぞれを横断させるように該第1及び第2の支持面に移動可能に連結され、
該第1の清掃ヘッドの少なくとも一部が、該第1のアクチュエータの作動に応答して、該第1のアレイの太陽光発電モジュールから離隔した係合解除位置と該第1のアレイの太陽光発電モジュールの少なくとも1つに接触する第1の係合位置との間で垂直方向に移動可能であり；
該第1の清掃ヘッドが：
第2のモータ；
ブラシ；
流体タンク；
ワイパー；及び
第2のアクチュエータ、を備え、
該第1の清掃ヘッドの少なくとも一部が、前記第1のアクチュエータの作動に応答して、該第1の係合位置にある該第1のアレイの太陽光発電モジュールの少なくとも1つに接触するように移動可能な該ブラシを備え、
該ブラシが、該第2のモータの作動に応答して、該第1のアレイの太陽光発電モジュールに平行な軸に沿ってさらに回転可能であり、
該第1の清掃ヘッドが、該第2のアクチュエータの作動に応答して、流体を該流体タンクから該第1のアレイの太陽光発電モジュールの少なくとも1つにディスペンスするように動作可能であり、
該ワイパーが、該第1の清掃ヘッドの少なくとも一部が前記第1の係合位置にあるときに前記第1のアレイの少なくとも1つの太陽光発電モジュールに接触し、かつ該第1のアレイの少なくとも1つの太陽光発電モジュールを少なくとも部分的に乾燥させるように動作可能であり、
該第1の清掃ヘッドの少なくとも一部が、該第1のアクチュエータの作動に応答して、該ブラシが該アレイの少なくとも1つの太陽光発電モジュールに接触して該ワイパーが該アレイに接触しない第2の係合位置に垂直方向にさらに移動可能である、
前記システム。
【請求項６】
前記第1及び第2の支持脚が、前記第1及び第2の支持面の前記コンクリートにそれぞれ接触して該コンクリートに沿って回転する第1及び第2の車輪によって該第1及び第2の支持面の該コンクリートにそれぞれ移動可能に連結される、請求項1記載のシステム。
【請求項７】
前記第1の保守輸送手段が、前記第1及び第2の支持面の一方の前記コンクリートにそれぞれ接触して該コンクリートに沿って回転する第3の車輪によって該第1及び第2の支持面の一方の該コンクリートに移動可能に連結された第3の支持脚をさらに備える、請求項6記載のシステム。
【請求項８】
前記第1の保守輸送手段が、前記第1の細長いレールの端部を検出するように構成されたリミットスイッチをさらに備える、請求項1記載のシステム。
【請求項９】
第3及び第4の支持面並びに第2の取り付け面を備える第2の細長いレールであって、太陽光発電モジュールの第2のアレイが、該第2の取り付け面に結合されて該第3及び第4の支持面に対して持ち上げられる、該第2の細長いレールをさらに含み、
該第3及び第4の輸送手段支持面と該第2の取り付け面が各々、地面に配設されるコンクリートを含む、請求項1記載のシステム。
【請求項１０】
前記第3及び第4の支持面の前記コンクリートに配設された第2の保守輸送手段であって、第2の清掃ヘッド、第2のアクチュエータ、第2のモータ、並びに第3及び第4の支持脚を備える、該第2の保守輸送手段をさらに備え、
該第3及び第4の支持脚が、前記第2のアレイの太陽光発電モジュールの上に該第2の清掃ヘッドを懸架し、かつ該第2のモータの作動に応答して、該第2の清掃ヘッドを前記第2の細長いレールに平行な方向において横方向に連続的に移動させて該第2のアレイの太陽光発電モジュールのそれぞれを横断させるように該第3及び第4の支持面の該コンクリートに移動可能に連結され、
該第2の清掃ヘッドの少なくとも一部が、該第2のアクチュエータの作動に応答して、該第2のアレイの太陽光発電モジュールから離隔した係合解除位置と該第2のアレイの太陽光発電モジュールの少なくとも1つに接触する第2の係合位置との間で垂直方向に移動可能である、請求項9記載のシステム。
【請求項１１】
前記第1の保守輸送手段を前記第1の細長いレールから前記第2の細長いレールに移動させるように構成された列から列への機構をさらに含む、請求項9記載のシステム。
【請求項１２】
前記列から列への機構が、少なくとも1つのトラックを備え、該少なくとも1つのトラックが、前記第1の支持面を前記第3及び第4の支持面の一方に接続し、かつ前記第2の支持面を該第3及び第4の支持面の他方に接続する、請求項11記載のシステム。
【請求項１３】
前記少なくとも1つのトラックが、前記第1の支持面を前記第3の支持面に接続する第1のトラック、及び前記第2の支持面を前記第4の支持面に接続する第2のトラックを含む、請求項12記載のシステム。
【請求項１４】
前記少なくとも1つのトラックが、前記第1の支持面を前記第3の支持面に接続する第1及び第2のトラック、並びに前記第2の支持面を前記第4の支持面に接続する第3及び第4のトラックを含む、請求項12記載のシステム。
【請求項１５】
前記列から列への機構が、前記少なくとも1つのトラックに結合され、かつ前記第1の保守輸送手段を前記第1の細長いレールから前記第2の細長いレールへ移送するように構成されたプラットフォームをさらに備える、請求項12記載のシステム。
【請求項１６】
前記列から列への機構が、電源、及び前記プラットフォームに結合され、かつ該電源からの電力に基づいて該プラットフォームを移動させるように構成されたモータを備える、請求項15記載のシステム。
【請求項１７】
前記第1及び第2の支持脚の少なくとも一方が、互いに異なる角度で太陽光発電モジュールを収容するように調整可能である、請求項1記載のシステム。
【請求項１８】
前記第1の保守輸送手段が、前記第1のアクチュエータ及び前記第1のモータを作動させるための電力を供給するように構成されたソーラーパネルをさらに備える、請求項1記載のシステム。
【請求項１９】
前記第1の保守輸送手段が、植物を除去するためにトリマー機構をさらに備える、請求項1記載のシステム。
【請求項２０】
前記第1の保守輸送手段が、無線制御可能である、請求項1記載のシステム。
【請求項２１】
前記無線制御が、ウェブインターフェイスを介して管理可能である、請求項20記載のシステム。
【請求項２２】
前記第1及び第2の輸送手段支持面の前記コンクリートと前記少なくとも1つの取り付け面の前記コンクリートとが、互いに一体に形成される、請求項1記載のシステム。
【請求項２３】
前記第1の輸送手段支持面の前記コンクリートが、前記第2の輸送手段支持面の前記コンクリートから離れている、又は離隔している、請求項1記載のシステム。
【請求項２４】
太陽光発電モジュールを保守するための方法であって：
第1及び第2の支持面並びに該第1の支持面と該第2の支持面との間に配設された第1の取り付け面を備える第1の細長いレールであって、太陽光発電モジュールの第1のアレイが、該第1の取り付け面に結合されて該第1及び第2の支持面に対して持ち上げられる、該第1の細長いレールを用意するステップ、
ここで、該第1及び第2の輸送手段支持面と該少なくとも1つの取り付け面が各々、地面に配設されるコンクリートを含み；
第1の保守輸送手段を該第1及び第2の支持面の該コンクリートに配設するステップであって、該第1の保守輸送手段が、第1の清掃ヘッド、第1のアクチュエータ、第1のモータ、並びに第1及び第2の支持脚を備える、該ステップ；
該第1及び第2の支持脚を用いて該第1のアレイの太陽光発電モジュールの上に該第1の清掃ヘッドを懸架するステップであって、該第1及び第2の支持脚が、該第1のモータの作動に応答して、該第1の清掃ヘッドを該第1の細長いレールに平行な方向において横方向に連続的に移動させて該第1のアレイの太陽光発電モジュールのそれぞれを横断させるように、該第1及び第2の支持面の該コンクリートに移動可能に連結される、該ステップ；並びに
該第1の清掃ヘッドの少なくとも一部を、該第1のアクチュエータの作動に応答して、該第1のアレイの太陽光発電モジュールから離隔した係合解除位置と該第1のアレイの太陽光発電モジュールの少なくとも1つに接触する第1の係合位置との間で垂直方向に移動させるステップ、を含む、前記方法。
【請求項２５】
前記第1の清掃ヘッドが第2のモータを備え、該第1の清掃ヘッドの少なくとも一部が、該第1の清掃ヘッドが前記第1の係合位置にあるときに、前記第1のアクチュエータの作動に応答して前記第1のアレイの太陽光発電モジュールの少なくとも1つに接触するブラシを備え、前記方法が、該第2のモータの作動に応答して該第1のアレイの太陽光発電モジュールに平行な軸に沿って該ブラシを回転させるステップをさらに含む、請求項24記載の方法。
【請求項２６】
前記第1の清掃ヘッドが、流体タンク及び第2のアクチュエータをさらに備え、前記方法が、該第2のアクチュエータの作動に応答して、流体を前記流体タンクから前記第1のアレイの太陽光発電モジュールの少なくとも1つに該ディスペンスするステップをさらに含む、請求項25記載の方法。
【請求項２７】
前記第1の清掃ヘッドがワイパーをさらに備え、該ワイパーが、該第1の清掃ヘッドの少なくとも一部が前記第1の係合位置にあるときに前記第1のアレイの少なくとも1つの太陽光発電モジュールに接触し、前記方法が、該第1のアレイの少なくとも1つの太陽光発電モジュールを、該ワイパーとの接触により少なくとも部分的に乾燥させるステップをさらに含む、請求項26記載の方法。
【請求項２８】
太陽光発電モジュールを保守するための方法であって：
第1及び第2の支持面並びに該第1の支持面と該第2の支持面との間に配設された第1の取り付け面を備える第1の細長いレールであって、太陽光発電モジュールの第1のアレイが、該第1の取り付け面に結合されて該第1及び第2の支持面に対して持ち上げられる、該第1の細長いレールを用意するステップ；
第1の保守輸送手段を該第1及び第2の支持面に配設するステップであって、該第1の保守輸送手段が、第1の清掃ヘッド、第1のアクチュエータ、第1のモータ、並びに第1及び第2の支持脚を備える、該ステップ；
該第1及び第2の支持脚を用いて該第1のアレイの太陽光発電モジュールの上に該第1の清掃ヘッドを懸架するステップであって、該第1及び第2の支持脚が、該第1のモータの作動に応答して、該第1の清掃ヘッドを該第1の細長いレールに平行な方向において横方向に連続的に移動させて該第1のアレイの太陽光発電モジュールのそれぞれを横断させるように、該第1及び第2の支持面に移動可能に連結される、該ステップ；並びに
該第1の清掃ヘッドの少なくとも一部を、該第1のアクチュエータの作動に応答して、該第1のアレイの太陽光発電モジュールから離隔した係合解除位置と該第1のアレイの太陽光発電モジュールの少なくとも1つに接触する第1の係合位置との間で垂直方向に移動させるステップ、を含み、
該第1の清掃ヘッドが：
第2のモータ；
ブラシ；
流体タンク；
ワイパー；及び
第2のアクチュエータ、をさらに備え、
該第1の清掃ヘッドの少なくとも一部が、該第1の清掃ヘッドが該第1の係合位置にあるときに、該第1のアクチュエータの作動に応答して該第1のアレイの太陽光発電モジュールの少なくとも1つに接触するブラシを備え、
該方法が、該第2のモータの作動に応答して該第1のアレイの太陽光発電モジュールに平行な軸に沿って該ブラシを回転させるステップをさらに含み、
該方法が、該第2のアクチュエータの作動に応答して、流体を該流体タンクから該第1のアレイの太陽光発電モジュールの少なくとも1つにディスペンスするステップをさらに含み、
該ワイパーが、該第1の清掃ヘッドの少なくとも一部が該第1の係合位置にあるときに該第1のアレイの少なくとも1つの太陽光発電モジュールに接触し、該方法が、該第1のアレイの少なくとも1つの太陽光発電モジュールを、該ワイパーとの接触により少なくとも部分的に乾燥させるステップをさらに含み、
該方法が、該第1のアクチュエータの作動に応答して、該第1の清掃ヘッドの少なくとも一部を、該ブラシが該アレイの少なくとも1つの太陽光発電モジュールに接触して該ワイパーが該アレイに接触しない第2の係合位置に垂直方向に移動させるステップをさらに含む、
前記方法。
【請求項２９】
前記第1及び第2の支持脚が、前記第1及び第2の支持面の前記コンクリートにそれぞれ接触して該コンクリートに沿って回転する第1及び第2の車輪によって該第1及び第2の支持面の該コンクリートにそれぞれ移動可能に連結される、請求項24記載の方法。
【請求項３０】
前記第1の保守輸送手段が、前記第1及び第2の支持面の一方の前記コンクリートにそれぞれ接触して該コンクリートに沿って回転する第3の車輪によって該第1及び第2の支持面の一方の該コンクリートに移動可能に連結された第3の支持脚をさらに備える、請求項29記載の方法。
【請求項３１】
前記第1の保守輸送手段が、リミットスイッチを用いて前記第1の細長いレールの端部をさらに検出する、請求項24記載の方法。
【請求項３２】
第3及び第4の支持面並びに第2の取り付け面を備える第2の細長いレールであって、太陽光発電モジュールの第2のアレイが、該第2の取り付け面に結合されて該第3及び第4の支持面に対して持ち上げられる、該第2の細長いレールを用意するステップをさらに含み、
該第3及び第4の輸送手段支持面と該第2の取り付け面が各々、地面に配設されるコンクリートを含む、請求項24記載の方法。
【請求項３３】
前記第2の保守輸送手段を前記第3及び第4の支持面の前記コンクリートに配設するステップであって、該第2の保守輸送手段が、第2の清掃ヘッド、第2のアクチュエータ、第2のモータ、並びに第3及び第4の支持脚を備える、該ステップ；
該第3及び第4の支持脚を用いて前記第2のアレイの太陽光発電モジュールの上に該第2の清掃ヘッドを懸架するステップであって、該第3及び第4の支持脚が、該第2のモータの作動に応答して、該第2の清掃ヘッドを前記第2の細長いレールに平行な方向において横方向に連続的に移動させて該第2のアレイの太陽光発電モジュールのそれぞれを横断させるように該第3及び第4の支持面の該コンクリートに移動可能に連結される、該ステップ；並びに
該第2の清掃ヘッドの少なくとも一部を、該第2のアクチュエータの作動に応答して、該第2のアレイの太陽光発電モジュールから離隔した係合解除位置と該第2のアレイの太陽光発電モジュールの少なくとも1つに接触する第2の係合位置との間で垂直方向に移動させるステップをさらに含む、請求項32記載の方法。
【請求項３４】
列から列への機構を用いて、前記第1の保守輸送手段を前記第1の細長いレールから前記第2の細長いレールに移動させるステップをさらに含む、請求項32記載の方法。
【請求項３５】
前記列から列への機構が、少なくとも1つのトラックを備え、該少なくとも1つのトラックが、前記第1の支持面を前記第3及び第4の支持面の一方に接続し、かつ前記第2の支持面を該第3及び第4の支持面の他方に接続する、請求項34記載の方法。
【請求項３６】
前記少なくとも1つのトラックが、前記第1の支持面を前記第3の支持面に接続する第1のトラック、及び前記第2の支持面を前記第4の支持面に接続する第2のトラックを含む、請求項35記載の方法。
【請求項３７】
前記少なくとも1つのトラックが、前記第1の支持面を前記第3の支持面に接続する第1及び第2のトラック、並びに前記第2の支持面を前記第4の支持面に接続する第3及び第4のトラックを含む、請求項35記載の方法。
【請求項３８】
前記列から列への機構が、前記少なくとも1つのトラックに結合されたプラットフォームをさらに備え、前記方法が、該プラットフォームを用いて、前記第1の保守輸送手段を前記第1の細長いレールから前記第2の細長いレールへ移送するステップをさらに含む、請求項35記載の方法。
【請求項３９】
前記列から列への機構が、電源、及び前記プラットフォームに結合され、かつ該電源からの電力に基づいて該プラットフォームを移動させるモータを備える、請求項38記載の方法。
【請求項４０】
互いに異なる角度で太陽光発電モジュールを収容するように前記第1及び第2の支持脚の少なくとも一方を調整するステップをさらに含む、請求項24記載の方法。
【請求項４１】
前記第1の保守輸送手段が、前記第1のアクチュエータ及び前記第1のモータを作動させるための電力を供給するソーラーパネルをさらに備える、請求項24記載の方法。
【請求項４２】
前記第1の保守輸送手段が、トリマー機構をさらに備え、前記方法が、該トリマーで植物を除去するステップをさらに含む、請求項24記載の方法。
【請求項４３】
前記第1の保守輸送手段を無線制御するステップをさらに含む、請求項24記載の方法。
【請求項４４】
前記無線制御が、ウェブインターフェイスを介して行われる、請求項43記載の方法。
【請求項４５】
前記第1及び第2の輸送手段支持面の前記コンクリートと前記少なくとも1つの取り付け面の前記コンクリートとを互いに一体に形成するステップを含む、請求項24記載の方法。
【請求項４６】
前記第1の輸送手段支持面の前記コンクリートが、前記第2の輸送手段支持面の前記コンクリートから離れている、又は離隔している、請求項24記載の方法。